(57)【要約】【課題】  遊技者が遊技機に関する知識に乏しい者でも保留球の意味を理解し、遊技球や遊技盤の動きを視覚的に楽しむことができ、遊技の単調化を防げる遊技機を提供する。【解決手段】  遊技盤４０の始動入賞口装置４８を、遊技球Ｐを受け入れる導入口と、導入された遊技球Ｐを貯留するとともに、貯留した遊技球Ｐを供給口から始動入賞口５５に供給可能な貯留体５７と、貯留体５７の供給口から始動入賞口５５に遊技球Ｐを入賞させる強制入賞機構６４とから構成し、貯留体５７を、導入口に導入された複数の遊技球Ｐを縦一列に貯留可能な有底筒形に形成してその少なくとも一部を透明とし、始動入賞口装置４８には、貯留体５７の最下位に貯留された遊技球Ｐを検出するセンサを設置する。そして、始動入賞口装置４８の制御装置には、貯留体５７の最下位に貯留された遊技球Ｐのセンサによる検出を検知するのを一つの条件に、強制入賞機構６４を入賞動作させる。【選択図】  図２
2006217979.tif 000002
【特許請求の範囲】
【請求項１】
遊技盤に設けられる始動入賞口装置及び可変表示装置と、これら始動入賞口装置及び可変表示装置を制御する制御装置とを備え、始動入賞口装置に対する遊技球の入賞に基づき、可変表示装置により表示した複数の識別情報をそれぞれ変動させた後に停止させ、この停止した複数の識別情報の組み合わせが予め定められた複数の識別情報の組み合わせである場合には、通常遊技状態から遊技者に有利な特別遊技状態に移行する遊技機であって、
始動入賞口装置は、遊技盤を落下してきた遊技球を受け入れる導入口と、この導入口に導入された遊技球を貯留するとともに、この貯留した遊技球を供給口から始動入賞口に供給可能な貯留体と、この貯留体の供給口から始動入賞口に遊技球を強制的に入賞させる強制入賞機構とを含み、貯留体を、導入口に導入された複数の遊技球を縦一列に貯留可能な略有底筒形に形成してその少なくとも一部を略透明とし、この始動入賞口装置には、貯留体の最下位に貯留された遊技球を検出するセンサを取り付け、
制御装置は、貯留体の最下位に貯留された遊技球のセンサによる検出を検知することを一つの条件として、強制入賞機構を入賞動作させるよう制御するものであることを特徴とする遊技機。
【請求項２】
制御装置は、貯留体の最下位に貯留された遊技球のセンサによる検出を検知する手段と、複数の識別情報が停止しているか否かを判定する手段と、複数の識別情報が停止していると判定した場合には、強制入賞機構を入賞動作させる手段とを含んでなる請求項１記載の遊技機。
【請求項３】
制御装置は、貯留体の最下位に貯留された遊技球のセンサによる検出を検知する手段と、複数の識別情報が停止しているか否かを判定する手段と、複数の識別情報が停止していると判定した場合には、特定の操作体が遊技者に操作されたか否かを判定する手段と、特定の操作体が遊技者に操作されたと判定した場合には、強制入賞機構を入賞動作させる手段とを含んでなる請求項１記載の遊技機。
【請求項４】
制御装置は、貯留体の最下位に貯留された遊技球のセンサによる検出を検知する手段と、複数の識別情報が停止しているか否かを判定する手段と、複数の識別情報が停止していると判定した場合には、特定の遊技球検知装置に遊技球が入賞したか否かを判定する手段と、特定の遊技球検知装置に遊技球が入賞したと判定した場合には、強制入賞機構を入賞動作させる手段とを含んでなる請求項１記載の遊技機。
【請求項５】
制御装置は、センサによる遊技球の検出、及び又は複数の識別情報が停止しているとの判定から所定の時間が経過した場合には、特定の操作体の操作あるいは特定の遊技球検知装置に対する遊技球の入賞にかかわりなく、強制入賞機構を入賞動作させる手段を含んでなる請求項３又は４記載の遊技機。
【請求項６】
導入口から導入された遊技球を縦一列に複数貯留可能な略透明の貯留体に貯留し、この貯留体の最下位に貯留された遊技球を貯留体の供給口から始動入賞口に強制入賞機構により強制的に入賞させる始動入賞口装置と、この始動入賞口装置の始動入賞口に対する遊技球の入賞に基づき、複数の識別情報を表示する可変表示装置とを備え、この可変表示装置により表示した複数の識別情報をそれぞれ変動させた後に停止させ、この停止した複数の識別情報の組み合わせが予め定められた複数の識別情報の組み合わせである場合には、通常遊技状態から遊技者に有利な特別遊技状態に移行する遊技機としてコンピュータを機能させる遊技機用プログラムであって、
貯留体の最下位に貯留された遊技球の検出を検知することを一つの条件として、強制入賞機構を入賞動作させる機能を備えてなることを特徴とする遊技機用プログラム。
【請求項７】
請求項６記載の遊技機用プログラムをコンピュータにより読み取り可能に記録したことを特徴とする情報記録媒体。
【発明の詳細な説明】
【技術分野】
【０００１】
本発明は、パチンコ遊技機に代表される遊技機、遊技機用プログラム、及び情報記録媒体に関し、より詳しくは、始動入賞口装置の改良やその制御に関するものである。
【背景技術】
【０００２】
従来のパチンコ遊技機は、図示しない遊技盤を備え、この遊技盤に、始動入賞口装置、可変表示装置、及び大入賞口装置等が配設されている。始動入賞口装置は、遊技領域の始動入賞口を覆う視認不能な被入賞体と、この被入賞体の上部両側に支持され、ソレノイドの駆動に基づき開放して遊技球を入賞させる一対のチューリップ弁と、被入賞体への遊技球の入賞を検知する始動入賞球検知センサと、一対のチューリップ弁の動作不良等を検知するエラー検知センサとから構成されている。
【０００３】
可変表示装置は、例えば液晶モジュールからなり、画面に文字や画像等からなる模様を表示する。この可変表示装置は、装飾枠体に囲まれ、遊技映像や抽選用の複数の特別図柄（識別情報）等を表示する。また、大入賞口装置は、遊技球を入賞させる大入賞口と、この大入賞口をソレノイドの駆動に基づき開閉する受板と、大入賞口への遊技球の入賞を検知する大入賞球検知センサと、受板の動作不良等を検知するエラー検知センサ等とから構成されている。
【０００４】
上記において、遊技機を使用して遊技する場合には、操作ハンドルを操作して遊技球を発射すれば良い。すると、遊技球は、遊技盤の遊技領域上方に次々と打ち込まれ、釘や風車との衝突に伴い軌道や速度を不規則に変更しながら落下し、始動入賞口装置等に入賞したり、アウト穴に回収される。回収された遊技球は、遊技盤後方の回収機構を介し集められて洗浄され、その後、循環利用される。
【０００５】
遊技球が始動入賞口装置に入賞し、始動入賞球検知センサに検知されると、可変表示装置の複数の特別図柄が回転表示される。この際、始動入賞口装置に遊技球が保留球として新たに入賞すると、遊技球の入賞数に応じて制御装置のメモリが記憶するとともに、装飾枠体の保留球ランプが点灯し、この保留球ランプの点灯数に応じて抽選が引き続き行われる（特許文献１参照）。
【０００６】
抽選の結果、複数の特別図柄が揃い、予め定められた特別図柄の組み合わせに該当して大当たり状態になると、遊技状態が通常遊技状態から遊技者に有利な特別遊技状態に移行して大入賞口装置の大入賞口が開放し、この開放した大入賞口に落下してきた遊技球が多数入賞し、この遊技球の入賞数に応じて遊技球が大当たりの賞球として多数払い出される。
【特許文献１】特開平５−２２０２５７号公報
【発明の開示】
【発明が解決しようとする課題】
【０００７】
従来の遊技機は、以上のように始動入賞口装置が不透明に構成され、しかも、保留に係る遊技球の入賞数に応じて小さい保留球ランプが単に点灯し、この保留球ランプの点灯数に応じて大当たりにするか否かの抽選が引き続き行われ、その後に消灯するだけなので、遊技者によっては面白みに欠けるという大きな問題がある。この問題について詳しく説明すると、近年は遊技機に熟知している者のみならず、若い女性や主婦等が遊技者として遊技機を利用し、ストレスを発散させることが少なくないが、これらの者は、遊技機に関して「球を打って孔に入ると、球が増える。大当たりというのがあって、儲かることもあるらしい。」程度の知識しかないのが通常である。
【０００８】
したがって、これらの遊技機に関する知識に乏しい者は、可変表示装置の表示が大きな特別図柄を用いた演出に切り替わることは何とか理解することができるものの、保留球ランプの点灯の意味を到底理解することができず、遊技球や遊技盤の動きを視覚的に楽しむどころか、逆に狼狽したり、不安感等が生じて遊技を終了してしまうおそれがある。このようなおそれは、保留球ランプが小さく形成され、視認が困難な場合には特に顕著である。
【０００９】
さらに、従来においては、特別図柄の回転している最中に始動入賞口装置に遊技球が保留球として入賞した場合に保留球ランプが点灯し、遊技時間の長短にかかわらず、特別図柄の回転停止後に保留球ランプの点灯が消灯して抽選が引き続き行われるだけなので、遊技の単調化を招きやすいという問題がある。
【００１０】
本発明は上記に鑑みなされたもので、例え遊技者が遊技機に関する知識に乏しい者でも保留球の意味を容易に理解し、遊技球や遊技盤の動きを視覚的に楽しむことができ、しかも、遊技の単調化を有効に抑制することのできる遊技機、遊技機用プログラム、及び情報記録媒体を提供することを目的としている。
【課題を解決するための手段】
【００１１】
本発明においては上記課題を解決するため、遊技盤に設けられる始動入賞口装置及び可変表示装置と、これら始動入賞口装置及び可変表示装置を制御する制御装置とを備え、始動入賞口装置に対する遊技球の入賞に基づき、可変表示装置により表示した複数の識別情報をそれぞれ変動させた後に停止させ、この停止した複数の識別情報の組み合わせが予め定められた複数の識別情報の組み合わせである場合には、通常遊技状態から遊技者に有利な特別遊技状態に移行するものであって、
始動入賞口装置は、遊技盤を落下してきた遊技球を受け入れる導入口と、この導入口に導入された遊技球を貯留するとともに、この貯留した遊技球を供給口から始動入賞口に供給可能な貯留体と、この貯留体の供給口から始動入賞口に遊技球を強制的に入賞させる強制入賞機構とを含み、貯留体を、導入口に導入された複数の遊技球を縦一列に貯留可能な略有底筒形に形成してその少なくとも一部を略透明とし、この始動入賞口装置には、貯留体の最下位に貯留された遊技球を検出するセンサを取り付け、
制御装置は、貯留体の最下位に貯留された遊技球のセンサによる検出を検知することを一つの条件として、強制入賞機構を入賞動作させるよう制御するものであることを特徴としている。
【００１２】
なお、制御装置には、貯留体の最下位に貯留された遊技球のセンサによる検出を検知する手段と、複数の識別情報が停止しているか否かを判定する手段と、複数の識別情報が停止していると判定した場合には、強制入賞機構を入賞動作させる手段とを含ませることができる。
【００１３】
また、制御装置には、貯留体の最下位に貯留された遊技球のセンサによる検出を検知する手段と、複数の識別情報が停止しているか否かを判定する手段と、複数の識別情報が停止していると判定した場合には、特定の操作体が遊技者に操作されたか否かを判定する手段と、特定の操作体が遊技者に操作されたと判定した場合には、強制入賞機構を入賞動作させる手段とを含ませることができる。
【００１４】
また、制御装置には、貯留体の最下位に貯留された遊技球のセンサによる検出を検知する手段と、複数の識別情報が停止しているか否かを判定する手段と、複数の識別情報が停止していると判定した場合には、特定の遊技球検知装置に遊技球が入賞したか否かを判定する手段と、特定の遊技球検知装置に遊技球が入賞したと判定した場合には、強制入賞機構を入賞動作させる手段とを含ませることができる。
【００１５】
また、制御装置には、センサによる遊技球の検出、及び又は複数の識別情報が停止しているとの判定から所定の時間が経過した場合には、特定の操作体の操作あるいは特定の遊技球検知装置に対する遊技球の入賞にかかわりなく、強制入賞機構を入賞動作させる手段を含ませることができる。
【００１６】
また、本発明においては上記課題を解決するため、導入口から導入された遊技球を縦一列に複数貯留可能な略透明の貯留体に貯留し、この貯留体の最下位に貯留された遊技球を貯留体の供給口から始動入賞口に強制入賞機構により強制的に入賞させる始動入賞口装置と、この始動入賞口装置の始動入賞口に対する遊技球の入賞に基づき、複数の識別情報を表示する可変表示装置とを備え、この可変表示装置により表示した複数の識別情報をそれぞれ変動させた後に停止させ、この停止した複数の識別情報の組み合わせが予め定められた複数の識別情報の組み合わせである場合には、通常遊技状態から遊技者に有利な特別遊技状態に移行する遊技機としてコンピュータを機能させるものであって、
貯留体の最下位に貯留された遊技球の検出を検知することを一つの条件として、強制入賞機構を入賞動作させる機能を備えてなることを特徴としている。
【００１７】
さらに、本発明においては上記課題を解決するため、請求項６記載の遊技機用プログラムをコンピュータにより読み取り可能に記録したことを特徴としている。
【００１８】
ここで、特許請求の範囲における始動入賞口装置の貯留体は、略透明の材料を使用して横断面略Ｃ字形、略Ｏ字形、略Ｕ字形等に形成される。この貯留体は、遊技者が遊技球を視覚的に把握することができるのであれば、全部を略透明にしても良いし、一部のみを略透明にしても良い。この点に関し、貯留体から始動入賞口に遊技球を導く経路部分を略透明にすると、入賞検知に至る過程を視覚的に把握できるので好適である。また、「略透明」という用語には、透明という意味と、半透明という意味のいずれもが含まれる。
【００１９】
貯留体の導入口又はその上部には、開閉可能な一対のチューリップ弁を取り付けて所定の契機に導入口に遊技球を導きやすくしても良いし、省略しても良い。貯留体は、複数の遊技球を縦一列に貯留する場合、上下方向に伸びる構成でも良いが、多少傾斜した構成でも良い。複数の遊技球は、４個でも良いが、それ以上に増やすこともできる。また、センサは、貯留体に取り付けても良いし、そうでなくても良い。
【００２０】
強制入賞機構としては、例えば駆動源であるモータやソレノイドの駆動により、レバーやプランジャ等の押圧体を動かして遊技球を始動入賞口方向に押しやる機構等があげられる。また、制御装置には、主制御装置及び又は副制御装置が含まれる。この制御装置は、通常遊技状態か特別遊技状態かを判定する手段と、通常遊技状態であると判定した場合には、強制入賞機構を入賞動作させる手段を含むことが好ましい。
【００２１】
「複数の識別情報が停止しているか否かを判定する」とは、換言すれば、始動入賞口に対する遊技球の入賞に基づく抽選結果に応じ、複数の識別情報の変動処理が実行されているか否かを判定することをいう。また、特定の操作体としては、強制入賞機構に入賞動作させる単数複数の操作体等があげられる。特定の遊技球検知装置としては、強制入賞機構に入賞動作させる特定の入賞口装置や通過入賞口装置等があげられる。
【００２２】
遊技機は、風俗営業等の規制及び業務の適正化等に関する法律に規定されている第一種特別電動役物に属するデジパチタイプ、ＣＲデジパチタイプ等を特に問うものではない。遊技機用プログラムには、コンピュータにより直接実行可能なものの他、ハードディスク等にインストールすることにより実行可能なもの、圧縮化や暗号化されたものが含まれる。さらに、情報記録媒体には、少なくとも各種のデバイスやディスク、ＣＤ、ＤＶＤ、バッテリバックアップ付きのＲＯＭカートリッジ、不揮発性ＲＡＭメモリカートリッジ等が含まれる。
【発明の効果】
【００２３】
本発明によれば、例え遊技者が遊技機に関する知識に乏しい者でも保留球の意味を容易に理解し、遊技球や遊技盤の動きを視覚的に楽しむことができるという効果がある。特に、強制入賞機構が遊技球を強制的に入賞させる度に、保留球の消化状態やタイミング等を視覚的に楽しむことができる。また、貯留体に複数の遊技球を横一列ではなく、縦一列に貯留するので、上部の遊技球の重みや重力を利用して下部の遊技球を貯留体から始動入賞口に複雑高価な送り機構等を介することなく、簡単に入賞させることができる。
【００２４】
また、請求項２ないし５記載の発明によれば、遊技球のセンサによる検出の検知から強制入賞機構の入賞動作に至るまでのプロセスの多様化を図ることができるので、遊技の単調化を有効に抑制することができるという効果がある。特に、請求項３記載の発明によれば、遊技者が特定の操作体を操作することにより、識別情報の変動開始の契機を自ら制御することができるので、遊技機に対する遊技者の攻略心や遊技の多彩化等を満足させることができる。
【００２５】
また、請求項６記載の発明によれば、遊技機用プログラムをパッケージソフトウエアとして製造・販売することができる。
【００２６】
さらに、請求項７記載の発明によれば、家庭用等のコンピュータに遊技機用プログラムを読み取らせれば、自宅のコンピュータを遊技機として機能させることができるので、遊技機の設置された遊技店に直接行かずとも、遊技して楽しむことができるという効果がある。
【発明を実施するための最良の形態】
【００２７】
以下、図面を参照して本発明の好ましい実施の形態、具体的には現在の主流であるＣＲデジパチタイプでプリペイドカード専用機と呼ばれる遊技機について説明する。
本実施形態における遊技機は、図１ないし図１０に示すように、遊技球Ｐの球貸機であるＣＲユニット１に隣接する本体１０と、この本体１０のドア１３に覆われる遊技盤４０と、全体を制御する制御装置９０と、少なくともこの制御装置９０に電力を供給する電源回路１１０とを備え、図示しないホール（遊技店）のシマと呼ばれる一ブロックの木枠１１に設置される。
【００２８】
遊技球Ｐは、例えば磁性を有する軟質線材やアルミキルド材を用いて直径１１ｍｍ程度の球に形成されている。ＣＲユニット１は、図１に示すように、プリペイドカードユニットとも呼ばれ、縦長のケースの正面にプリペイドカード用の挿入口２が形成されており、この挿入口２に遊技者の購入したプリペイドカード３が挿入され、かつ遊技機の貸球用ボタン４が押圧操作されることにより、所定の金額分の遊技球Ｐを貸球として供給するよう機能する。プリペイドカード３の残高は、遊技機の表示部に表示される。
【００２９】
本体１０は、図１ないし図３に示すように、正面視で縦長のフロントオープンボックスタイプに形成され、同じく縦長の木枠１１内に複数のヒンジ機構１２を介し前後方向に回転可能に嵌合支持されており、正面を開閉するドア１３が複数のヒンジ１４を介し回転可能に取り付けられている。この本体１０は、その正面側の下側部に、遊技盤４０に遊技球Ｐを発射する発射装置１５が半透明のカバー等を介して設置され、背面壁の上部には、一ブロックの補給パイプから遊技球Ｐが補給される払出装置１６が設置されており、この払出装置１６のタンク１７から遊技球Ｐが貸球や賞球として本体１０の正面側に球経路を介して払い出される。
【００３０】
発射装置１５には、遊技球Ｐの発射を検知する遊技球発射検知センサ１８が取り付けられ、払出装置１６には、遊技球Ｐの払い出しを検知する遊技球払出検知センサ１９が取り付けられており、この払出装置１６や球経路等には、遊技球Ｐの球詰まり等を検知するエラー検知センサが取り付けられている。
【００３１】
本体１０の背面壁の一側壁寄りには、木枠１１に本体１０をロックするロック機構が装着されるとともに、本体１０にドア１３をロックする複数のロック爪が上下方向に揺動可能に設けられている。本体１０の一側壁（正面視右側）側には、挿入されたキーの回転操作に伴いロック機構と複数のロック爪をそれぞれ動作させるドアロック２０が装着されている。また、本体１０の他側壁（正面視左側）には、ドア１３を支持する複数のヒンジ１４が上下方向に間隔をおいて取り付けられている。
【００３２】
ドア１３は、図１、図３に示すように、本体１０に対応する縦長に形成された中空のドア枠２１と、このドア枠２１の中空領域に背面側から着脱自在に装着された透明板２２と、ドア枠２１の中空下部に回転可能に嵌合支持された受皿パネル２３とを備え、本体１０の他側壁に前後方向に回転可能に支持されている。ドア枠２１は、その一側部に、本体１０の一側壁側における複数のロック爪に係合するロック片が取り付けられ、他側部と本体１０の他側壁における複数のヒンジ１４を介し前後方向に回転可能に支持されている。
【００３３】
透明板２２は、所定の合成樹脂やガラス板等を使用して縦長の矩形に形成され、遊技盤４０に対する遊技者の視認を可能とする。この透明板２２の表面側の上部中央等には、点灯したり点滅する枠ランプ２４がドア枠２１に装着され、透明板２２の表面側の上部両側には、ドア枠２１に装着されたスピーカ２５がそれぞれ位置し、各スピーカ２５が効果音や報知音等を鳴り響かせる。
【００３４】
受皿パネル２３は、表面に様々な絵柄の描かれた横長の矩形に形成され、導出口２６、受皿２７、及びハンドル機構２８等が配設されており、透明板２２の直下に位置する。導出口２６は、受皿パネル２３の上部一側（正面視右側の上部）に設けられ、払出装置１６から貸球や賞球として払い出された遊技球Ｐを受皿２７に導くよう機能する。
【００３５】
受皿２７は、例えば各種の合成樹脂を使用して中空の略半楕球形に形成され、受皿パネル２３の表面略中央部に形成されており、導出口２６からの遊技球Ｐを貯えるとともに、この貯えた遊技球Ｐが一杯になった場合には、受皿パネル２３の裏面の供給路上流側に遊技球Ｐを退避させるよう機能する。
【００３６】
受皿２７には、左右一対の排出ボタン２９が押圧操作可能に取り付けられ、この一対の排出ボタン２９が押圧操作されることにより、受皿２７の底の一部が開口（図１参照）して遊技球Ｐを受皿パネル２３の下部に配置されるケース（ドル箱ともいう）に排出する。受皿２７の他側部（正面視左側）には、ＣＲユニット１に挿入されたプリペイドカード用の返却ボタン３０、貸球用ボタン４、及び喫煙者用の回転可能な灰皿３１が配設されている。
【００３７】
ハンドル機構２８は、受皿パネル２３の下部一側（正面視右側の下部）に取り付けられ、この受皿パネル２３から回転可能に露出した略半球形の操作ハンドル３２が遊技者に握持されて回転操作されることにより、受皿２７に貯留され、供給路上流に位置する遊技球Ｐを下流の発射装置１５に供給するとともに、この発射装置１５の発射槌を駆動して遊技球Ｐを遊技盤４０に打ち出すよう機能する。このハンドル機構２８は、操作ハンドル３２が時計方向に回転操作される程、遊技球Ｐが強く打ち出されるよう調整されている。操作ハンドル３２には、遊技球Ｐの打ち出しを一時停止する一時停止ボタン（ウエイトボタンともいう）３３が押圧操作可能に設けられている。
【００３８】
遊技盤４０は、図２に示すように、例えば縦長で矩形のベニヤ板を備え、このベニヤ板の表面に遊技者が好む様々なデザインの印刷された合成樹脂シートが覆着されており、本体１０の略中央部よりも上方の部分で開口した正面の開口部に着脱自在に装着されている。この遊技盤４０の表面周縁部には、本体１０下方の発射装置１５から発射された遊技球Ｐを案内する内外複数のガイドレール４１が湾曲して取り付けられるとともに、合成樹脂製の装飾された区画壁４２が装着されている。
【００３９】
複数のガイドレール４１は、例えば可撓性の長板を用いて略Ｃ字形や略逆Ｊ字形に形成され、区画壁４２と共に遊技球Ｐの打ち込まれる遊技領域４３を略半円形に区画形成しており、この遊技領域４３の内外に、複数の釘４４、複数の風車４５、複数の盤面ランプ４６、複数の入賞口装置４７、始動入賞口装置４８、可変表示装置４９、大入賞口装置５０、及びアウト穴５１が配設されている。
【００４０】
複数の釘４４は、例えば遊技盤４０の上方に打ち込まれる天釘、始動入賞口装置４８の真上に打ち込まれる命釘、遊技盤４０の側部等に打ち込まれるハカマ釘、及びこれら以外のバラ釘とを備え、遊技領域４３に打ち込まれた遊技球Ｐを予想外の方向に弾いたり、入賞を規制するよう機能する。この複数の釘４４のうち、一の風車４５の近傍部における釘４４の隙間は、遊技球Ｐを始動入賞口装置４８に導くための打ち込みの目安となるブッコミ領域（ワクともいう）５２とされる。
【００４１】
複数の風車４５は、例えば遊技領域４３の上部両側や中央部両側に回転可能に軸支され、遊技球Ｐに当たると回転して遊技球Ｐの落下方向を変更したり、遊技球Ｐを加速させて遊技者を飽きさせないようにする。複数の盤面ランプ４６は、所定の合成樹脂を使用して各種の造形物等を模して成形され、遊技領域４３の両側部に配設されており、遊技中に点灯したり点滅し、遊技者の遊び心や射幸心を適度に煽るよう機能する。
【００４２】
複数の入賞口装置（チャッカーともいう）４７は、例えば遊技領域４３の下方寄りの両側部にそれぞれ装着されている。各入賞口装置４７は、遊技領域４３の入賞口を覆う上部の開口した被入賞体５３と、この被入賞体５３への遊技球Ｐの入賞を検知する小入賞球検知センサ５４とを備え、この小入賞球検知センサ５４の検知により、所定の数の遊技球Ｐが小当たりの賞球として受皿２７に払い出される。
【００４３】
始動入賞口装置（スタートチャッカー、始動口、又はヘソともいう）４８は、図２、図４ないし図６に示すように、遊技盤４０に設けられる始動入賞口５５と、この始動入賞口５５に入賞する遊技球Ｐを貯留可能な貯留体５７と、この貯留体５７から始動入賞口５５に遊技球Ｐを強制的に入賞させる強制入賞機構６４と、電源回路１１０の投入時には閉塞して遊技盤４０の一部を形成しながら始動入賞口５５に遊技球Ｐを案内し、電源回路１１０の遮断時には開口して遊技球Ｐを回収する開閉可能な回収孔６６とを備え、可変表示装置４９と大入賞口装置５０との間に介在配置されている。
始動入賞口５５は、円形に穿孔され、内部奥方向には、遊技球Ｐの入賞を光学的あるいは磁気的に検出する始動入賞球検知センサ５６が設置されている。
【００４４】
貯留体５７は、高透明性や剛性に優れるポリカーボネート等を使用して複数（本実施形態では４個）の遊技球Ｐを詰まることのないよう縦一列に貯留（保留）可能な透明の有底角筒形に成形され、遊技盤４０の表面に装着されてその下部が始動入賞口５５の横に隣接しており、上部が落下してきた遊技球Ｐを内部に導入する導入口５８として機能する。この貯留体５７は、縦一列に最大数貯留した遊技球Ｐの高さよりも短く低く形成され、縦一列に遊技球Ｐを最大数貯留した場合に、最上部に位置する遊技球Ｐの少なくとも上部を導入口５８から露出させるよう機能する。
【００４５】
貯留体５７の底部は、保留球として入賞した遊技球Ｐを光学的、磁気的、機械的に検出する保留球検知センサ５９が設置され、横の始動入賞口５５よりも僅かに下方に位置しており、高位の始動入賞口５５との間には、遊技球Ｐを始動入賞口５５に導くガイド板６０が架設されるとともに、このガイド板６０が斜め上がりに僅かに傾斜して遊技球Ｐが始動入賞口５５に不用意に入賞するのを有効に規制する。また、貯留体５７の正面側から裏面側に向かって、始動入賞口装置４８を覆う正面視円形で透明のカバー６１が装着され、このカバー６１が、遊技領域４３を落下する遊技球Ｐが貯留体５７等に衝突するのを有効に規制する。
【００４６】
貯留体５７の左右の両側壁下部における略水平方向には、それぞれ遊技球Ｐの直径よりもやや大きい開口６２・６２Ａが形成され、この一対の開口６２・６２Ａにおける始動入賞口５５側の開口６２Ａが始動入賞口５５に遊技球Ｐを移動させる供給口６２Ｂとなる。また、貯留体５７の両側壁上部には、徐々に外方向に広がるガイド片６３がそれぞれ形成され、この一対のガイド片６３が例え貯留体５７内に遊技球Ｐを貯留できる余裕がある場合でも遊技球Ｐを確実に貯留体５７の下方に貯留するよう案内する。
【００４７】
強制入賞機構６４は、遊技盤４０に設置されるモータ６４Ａと、このモータ６４Ａの駆動に基づいて所定の角度で回転するレバー６５とを備え、始動入賞口５５の反対側の横方向に位置する。モータ６４Ａは、例えばサーボモータやステッピングモータ等からなり、遊技盤４０の裏面に設置されて貯留体５７の上部側方付近に位置する。
【００４８】
レバー６５は、例えば愛好者の多いゴルフのパター等を模して形成され、モータ６４Ａの駆動軸に連結されており、下方の自由端部にハンマーとして機能するヘッド６５ａが一体形成されている。このようなレバー６５は、モータ６４Ａの正転駆動に基づいて貯留体５７の最下部に位置する遊技球Ｐを貯留体５７の開口６２を介しヘッド６５ａで叩いて始動入賞口５５に供給するとともに、モータ６４Ａの逆転駆動に基づいて貯留体５７内に進入しているヘッド６５ａを元の待機位置に復帰させ、貯留体５７の側壁下部の開口６２から遊技球Ｐが反始動入賞口５５方向に落下するのを規制する。レバー６５が復帰すると、複数の遊技球Ｐが貯留されている場合には、貯留体５７の底部に、上方に貯留されていた遊技球Ｐが落下する。
【００４９】
回収孔６６は、図４や図８に示すように、遊技盤４０に穿孔された開口と貯留体５７の背面側下部の開口とにより形成され、遊技盤４０の裏面側からシャッタ６８により開閉可能に被覆されるとともに、このシャッタ６８が揺動爪７１の揺動により始動入賞口５５を塞がないよう左右横方向にスライドする。この回収孔６６は、遊技球Ｐの直径よりもやや大きく広く遊技盤４０に切り欠かれ、その下部周縁６７が遊技盤４０の表面から裏面方向に向けて斜め下がりに傾斜しており、貯留体５７の下部に貯留されている遊技球Ｐが遊技盤４０の裏面方向に落下して回収されるのを容易にする。
【００５０】
シャッタ６８は、回収孔６６の形状に対応する板形に形成され、遊技盤４０の裏面に上下一対の挟持板６９を介して支持されるとともに、遊技盤４０の裏面に復帰ばね７０を介して連結されており、この復帰ばね７０の復元作用により回収孔６６を開放して始動入賞口５５を横方向に拡大する。
【００５１】
揺動爪７１は、電源回路１１０の投入時に駆動するモータ（図示せず）の駆動軸に連結され、このモータの駆動により回転してシャッタ６８の被係止片に係止し、シャッタ６８を復帰ばね７０に抗しスライドさせて回収孔６６を閉塞し、拡大していた始動入賞口５５を通常の遊技球Ｐの直径程度の大きさに縮小する。この揺動爪７１は、電源回路１１０の遮断時（例えば、ホールの営業終了時等）には、シャッタ６８の被係止片との係止が解除可能となり、復帰ばね７０の復元作用に伴うシャッタ６８のスライドにより、シャッタ６８との係止が解除され、貯留体５７内に遊技球Ｐが貯留されたままの状態となるのを有効に防止する。
【００５２】
このような構成の始動入賞口装置４８に遊技球Ｐが入賞し、始動入賞球検知センサ５６に遊技球Ｐが検出されると、可変表示装置４９に抽選用の複数の特別図柄７２が表示され、この複数の特別図柄７２を用いた抽選の結果、大当たり状態になると、通常遊技状態から遊技者に有利な特別遊技状態に移行する。通常遊技状態とは、遊技球Ｐの出球率や利益獲得率の低い状態をいう。具体的には、遊技の開始あるいは特別遊技状態の終了から次の特別遊技状態に移行するまでの遊技状態をいい、入賞口装置４７への入賞の有無を特に問うものではない。
【００５３】
特別遊技状態とは、通常遊技状態よりも遊技者に有利な状態、換言すれば、通常遊技状態よりも遊技球Ｐの出球率や利益獲得率が高い状態をいう。この特別遊技状態には、少なくとも大入賞口装置５０が開放動作する通常の大当たり状態、確率変動付き大当たり状態（確変ともいう）、及び確率変動付き大当たり状態の継続する状態（連荘ともいう）等が含まれる。
【００５４】
可変表示装置（本実施形態では特別図柄ＬＣＤともいう）４９は、例えば薄い矩形の液晶モジュールからなり、遊技領域４３の略中央部に穿孔された横長の装着口に遊技盤４０の裏面側から嵌着されており、制御装置９０による抽選結果に応じた制御に基づき画面に文字や画像等からなる各種の模様を表示する。この横長の可変表示装置４９は、表面が装飾された中空横長の装飾枠体に囲まれ、デモンストレーション映像、遊技映像、抽選用の複数の特別図柄７２、リーチ予告等を表示する。
【００５５】
デモンストレーション映像としては、例えばホールに入店してきた者の興味を喚起する魅惑的なキャラクターを縦横に表示してその大きさを変更したり、表示したキャラクターを増減したり、あるいはキャラクターにアクション等の演出をさせる映像があげられる。遊技映像としては、例えば通常遊技状態時にテレビや漫画の登場人物をストーリーに応じて三次元的に表示し、遊技者に倦怠感が生じないようにする映像があげられる。
【００５６】
抽選用の複数の特別図柄７２は、通常の大当たり状態の役を示す通常図柄７４と、確率変動付き大当たり状態の役を示す特定図柄（確変図柄ともいう）７５とを備えている。このような特別図柄７２は始動入賞口装置４８に対する遊技球Ｐの入賞を契機に、左、中、右の３つが横一列に表示されるとともに、各左、中、右の列毎に複数種類の特別図柄７２が上方向から下方向へと回転表示され、その後に仮停止表示、及び確定停止表示を経て左、中、右の特別図柄７２と組み合わされることにより、大当たり状態か外れかを報知する図柄である。
【００５７】
通常の大当たり状態とは、例えば通常遊技状態よりも遊技球Ｐの出球率や利益獲得率の高い特別遊技状態をいい、本実施形態では大入賞口装置５０が所定の時間開放動作する状態が該当する。通常図柄７４は、文字、数字、図形等からなるが、本実施形態では「２」、「４」、「６」等とされている。
【００５８】
確率変動付き大当たり状態とは、通常の大当たり状態よりも遊技球Ｐの出球率や利益獲得率が高い特別遊技状態をいい、本実施形態では大入賞口装置５０の開放動作の他、小当たりや大当たりの確率が通常の確率から予め定められた確率まで高くなる状態（具体的には、当選確率が１／３１７程度から１／６７程度に向上する状態）が該当する。特定図柄７５は、文字、数字、図形等からなるが、本実施形態では「１」、「３」、「７」等とされている。
【００５９】
特別図柄７２の回転表示とは、例えば複数の特別図柄が縦１列に配列されたスロットマシンの３つの回転リールのように特別図柄７２が高速で上下方向に回転する内容の演出表示をいう。特別図柄７２の仮停止表示とは、例えば特別図柄７２が最終的に停止せず、上下方向に細かくスクロールしたり、揺れ動く等の内容の演出表示をいい、遊技者をハラハラさせたり、やきもきさせて遊技に伴う感覚的刺激が弱まるのを防止する。また、特別図柄７２の確定停止表示とは、例えば特別図柄７２が最終的に停止する抽選結果の演出表示をいう。
【００６０】
抽選の結果、「２」「４」「７」のように３つの選択された特別図柄７２の組み合わせが全く揃わず、予め定められた特別図柄７２の組み合わせでない場合には、外れ状態となって遊技状態が次の入賞待ちの通常遊技状態のままとなり、「２」「２」「２」のように３つの選択された通常図柄７４の組み合わせが全て揃い、予め定められた通常図柄７４の組み合わせとなる場合には、遊技者に有利な通常の大当たり状態となる。
【００６１】
また、「６」「？」「６」のように３つの特別図柄７２中、２つの特別図柄７２が揃う場合には、大当たり状態を示唆して遊技者に期待感を抱かせるリーチ状態となり、「７」「７」「７」のように３つの選択された特定図柄７５の組み合わせが全て揃い、予め定められた特定図柄７５の組み合わせとなる場合には、遊技者に最も有利な確率変動付き大当たり状態となる。
【００６２】
リーチ予告は、例えば複数の特別図柄７２の回転表示前や回転表示中に図柄を変更したり、特定のキャラクターに画面を短時間横切らせたり、あるいは画面に所定の自然現象を短時間出現させる等の内容の演出をいい、リーチ状態にする確率を高めたり、低下等させて遊技者に心理学的な錯覚を生じさせる。
【００６３】
大入賞口装置（アタッカーともいう）５０は、遊技領域４３の下方寄りに装着され、始動入賞口装置４８とアウト穴５１の間に位置する。この大入賞口装置５０は、遊技球Ｐを入賞させる横長の大入賞口７７と、この大入賞口７７を遊技盤裏面のソレノイドの駆動に基づき開閉する横長の受板７８と、大入賞口７７への遊技球Ｐの入賞を検知する大入賞球検知センサ７９と、大入賞口７７内の中央部に設けられ、遊技球Ｐが所定の確率で通過する継続入賞領域（Ｖゾーンとも呼ばれる）８０と、この継続入賞領域８０への遊技球Ｐの入賞を検知する継続球検知センサ８１と、受板７８の動作不良等を検知するエラー検知センサとから構成されている。
【００６４】
アウト穴５１は、遊技領域４３の下部に穿孔され、遊技盤４０の裏面側において外れ球として落下してきた遊技球Ｐを回収し、本体１０の回収機構を介してシマの設備側に排出する。排出された遊技球Ｐは入賞口装置４７、始動入賞口装置４８、及び大入賞口装置５０から排出された遊技球Ｐと共に洗浄装置に集められて洗浄され、その後、一ブロックの補給パイプに供給されて循環利用される。
【００６５】
制御装置９０は、図９に示すように、球貸信号制御回路９１やホールの集中管理装置９２等に接続される主制御装置９３と、この主制御装置９３から制御信号を受信してその制御下で作動する副制御装置９４とを備え、これら主制御装置９３と副制御装置９４とが本体１０の背面壁等に設置されるとともに、ＣＲユニット１、発射装置１５、払出装置１６、枠ランプ２４、スピーカ２５、盤面ランプ４６、入賞口装置４７、始動入賞口装置４８、可変表示装置４９、大入賞口装置５０等に電気的に接続されている。
【００６６】
主制御装置９３は、プリント回路基板からなる回路基板に、水晶発振回路９５、演算処理機能を有するＣＰＵ９６、ＲＯＭ９７、ＲＡＭ９８、動作不良等を検知するエラー検知センサ、その他の電子部品が実装され、入力側に遊技球発射検知センサ１８、遊技球払出検知センサ１９、エラー検知センサ、小入賞球検知センサ５４、始動入賞球検知センサ５６、保留球検知センサ５９、大入賞球検知センサ７９、継続球検知センサ８１等が基本的には入力インターフェイスを介し接続されるとともに、出力側に副制御装置９４等が接続されており、不正改造されないよう透明の樹脂ケースに収納されて強固に封止されている。
【００６７】
水晶発振回路９５は、発振パルスを分周することにより、制御動作の基準となるタイミングパルス（例えば、４ミリ秒毎のタイミングパルス）を生成するよう機能する。ＲＯＭ９７には、乱数発生手段や乱数テーブルを含む所定の遊技プログラムが記憶されている。
【００６８】
ＲＡＭ９８には、状態データテーブルや乱数メモリの他、遊技の履歴や遊技利益等が記憶されている。遊技の履歴とは、例えば電源回路１１０を投入してから、あるいは遊技機で遊技を開始してから現在に至るまでの遊技内容の経時的な記録をいう。具体的には、始動入賞口装置４８に入賞した遊技球Ｐの球数、始動入賞口装置４８の開放時間や回数、大入賞口装置５０に入賞した遊技球Ｐの球数等があげられる。また、樹脂ケースの開閉蓋には、図示しない基板管理番号証が貼着されている。
【００６９】
このような構成の主制御装置９３は、ＣＰＵ９６がＲＡＭ９８を作業領域としてＲＯＭ９７に記憶された所定の遊技プログラムを読み込むことにより、副制御装置９４と共にコンピュータとして所定の機能を実現する。
【００７０】
所定の機能としては、例えば特別遊技状態か否かを判定する機能、特別遊技状態でないと判定した場合には、乱数発生手段により大当たり状態等を判定する乱数を生成する機能、この生成された乱数を抽出して予め定められた当たり用の乱数値と比較し、当否を判定する機能、この当否の判定結果に基づいて特別図柄７２を選択する機能、判定結果に基づいて特別図柄７２を含む変動パターンを選択する機能、選択された特別図柄７２等の変動パターンの情報を副制御装置９４に送信する機能、副制御装置９４を監視する機能等があげられる。
【００７１】
副制御装置９４は、図９に示すように、図柄制御装置９９、ランプ制御装置１００、音声制御装置１０１、払出制御装置１０２、可動物制御装置１０３、及び発射制御基板１０４を備え、一部の例外を除き、基本的には主制御装置９３に出力インターフェイスを介して接続されており、不正改造されないよう透明の樹脂ケースに収納されて強固に封止されている。樹脂ケースの開閉蓋には、図示しない基板管理番号証が貼着されている。
【００７２】
図柄制御装置９９は、回路基板にＣＰＵ、ＲＯＭ、ＲＡＭ、その他の電子部品が実装され、可変表示装置４９にグラフィック情報を管理するビデオディスプレイプロセッサ等を介して接続されている。このような構成の図柄制御装置４９は、主制御装置９３の制御信号に基づき、ＣＰＵがＲＡＭを作業領域としてＲＯＭに記憶された所定の遊技プログラムを読み込むことにより、コンピュータとして所定の機能を実現し、可変表示装置４９の表示を制御する。
【００７３】
所定の機能としては、例えば選択された特別図柄７２を含む変動パターンの情報を主制御装置９３から受信する機能、この受信した情報を解析する機能、この解析結果に応じ、選択された特別図柄７２を含む変動パターンの画像プログラムを決定する機能、この決定された画像プログラムを実行する機能、主制御装置９３により監視されながら、画像プログラムが実行処理された場合には、実行処理を終了する機能等があげられる。
【００７４】
ランプ制御装置１００は、回路基板にＣＰＵ、ＲＯＭ、ＲＡＭ、その他の電子部品が実装され、枠ランプ２４と盤面ランプ４６に接続されている。このようなランプ制御装置１００は、主制御装置９３の制御信号に基づき、ＣＰＵがＲＡＭを作業領域としてＲＯＭに記憶された所定の遊技プログラムを読み込むことにより、枠ランプ２４と盤面ランプ４６の点灯や点滅を制御するよう機能する。
【００７５】
音声制御装置１０１は、回路基板にＣＰＵ、ＲＯＭ、ＲＡＭ、その他の電子部品が実装されており、主制御装置９３の制御信号に基づき、ＣＰＵがＲＡＭを作業領域としてＲＯＭに記憶された所定の遊技プログラムを読み込むことにより、スピーカ２５を制御するよう機能する。払出制御装置１０２は、回路基板にＣＰＵ、ＲＯＭ、ＲＡＭ、その他の電子部品が実装され、主制御装置９３の制御信号に基づき、ＣＰＵがＲＡＭを作業領域としてＲＯＭに記憶された所定の遊技プログラムを読み込むことにより、ＣＲユニット１と払出装置１６とを制御する。
【００７６】
可動物制御装置１０３は、回路基板にＣＰＵ１０５、ＲＯＭ１０６、ＲＡＭ１０７、その他の電子部品が実装され、主制御装置９３の制御信号に基づき、ＣＰＵ１０５がＲＡＭ１０７を作業領域としてＲＯＭ１０６に記憶された所定の遊技プログラムを読み込むことにより、始動入賞口装置４８や大入賞口装置５０の受板７８等を制御する。
【００７７】
これら払出制御装置１０２及び可動物制御装置１０３と主制御装置９３とは、所定の遊技プログラムを読み込むことにより、遊技球Ｐを保留球検知センサ５９が検出したか否かを検知する機能、保留球検知センサ５９の検出を検知した場合には、複数の特別図柄７２が停止しているか否かを判定する機能、複数の特別図柄７２が停止していると判定した場合には、強制入賞機構６４を入賞動作させる機能、遊技球Ｐを始動入賞球検知センサ５６が検出したか否かを検知する機能、始動入賞球検知センサ５６の検出を検知した場合には、強制入賞機構６４を停止させる機能、強制入賞機構６４が停止した場合には、始動入賞球検知センサ５６の検出に基づき、特別遊技状態の移行抽選処理を行なう機能、始動入賞球検知センサ５６の検出に応じ、予め設定されている数の遊技球Ｐを賞球として払い出す機能を実現する。
【００７８】
発射制御基板１０４は、回路基板に各種の電子部品が実装されることにより構成され、ハンドル機構２８の操作ハンドル３２や一時停止ボタン３３からの信号に基づき、発射装置１５を制御する。
【００７９】
電源回路１１０は、外部接続端子に電気的に接続する電源ケーブルや電源スイッチ等を備え、本体１０の背面壁に設置されている。この電源回路１１０は、ＣＲユニット１、発射装置１５、払出装置１６、枠ランプ２４、スピーカ２５、盤面ランプ４６、入賞口装置４７、始動入賞口装置４８、可変表示装置４９、大入賞口装置５０、及び制御装置９０等に電気的に接続され、複数種の直流電圧を発生させる。
【００８０】
上記構成において、遊技機により遊技する場合には、ＣＲユニット１を利用して複数の遊技球Ｐを借り、受皿２７を遊技球Ｐで満たし、ハンドル機構２８の操作ハンドル３２を適宜回転操作して遊技球Ｐを発射装置１５から発射すれば良い。
【００８１】
すると、遊技球Ｐは、発射装置１５からガイドレール４１に案内されつつ遊技盤４０の遊技領域４３上方に次々と打ち込まれ、釘４４や風車４５との衝突に伴い軌道や速度を不規則に変更しながら落下し、入賞口装置４７や始動入賞口装置４８に入賞したり、アウト穴５１に回収される。入賞口装置４７の小入賞球検知センサ５４に遊技球Ｐが検知されると、受皿２７に所定の数の遊技球Ｐが賞球として払い出される。
【００８２】
始動入賞口装置４８の貯留体５７内に遊技球Ｐが落下して保留球検知センサ５９が検知（図１０のＳ１）すると、複数の特別図柄７２が停止している場合（図１０のＳ２）には、強制入賞機構６４のモータ６４Ａが駆動してレバー６５を僅かに揺動させ（図１０のＳ３）、このレバー６５のヘッド６５ａが遊技球Ｐを貯留体５７下部の開口６２を介して遊技球Ｐを叩き、この遊技球Ｐが貯留体５７の供給口６２Ｂからガイド板６０上を経由して始動入賞口５５に入賞する。
【００８３】
遊技球Ｐが始動入賞口５５の始動入賞球検知センサ５６に検出（図１０のＳ４）されると、遊技球Ｐを叩いたヘッド６５ａは、モータ６４Ａが駆動して直ちにレバー６５が揺動することにより、元の待機位置に復帰して停止する（図１０のＳ５）。強制入賞機構６４が停止すると、始動入賞球検知センサ５６の検出に基づき、乱数発生手段から乱数値が抽出され、この抽出された乱数値と予め設定された当選用の乱数値とが比較されることにより抽選の当否が判定され、この当否の判定結果に応じ、予め設定されている複数の変動パターンの中からいずれか一つの変動パターン（例えば、枠ランプ２４、盤面ランプ４６、可変表示装置４９、音声制御装置１０１の演出態様等）が決定される（図１０のＳ６）。
【００８４】
こうして変動パターンが決定されると、決定した内容が制御命令として主制御装置９３から図柄制御装置９９や払出制御装置１０２に出力され、その後、始動入賞球検知センサ５６の検出に応じ、予め設定されている数の遊技球Ｐが賞球として払い出される（図１０のＳ７）。
【００８５】
また、決定された変動パターンの内容が制御命令として主制御装置９３から図柄制御装置９９や払出制御装置１０２に出力されると、可変表示装置４９の表示が抽選結果を報知する複数の特別図柄７２の表示に切り替わり、各特別図柄７２が順次回転、仮停止、確定停止する。この複数の特別図柄７２の変動表示の際、始動入賞口装置４８の貯留体５７内に遊技球Ｐが落下すると、遊技球Ｐは、保留球検知センサ５９に検出されるものの、特別図柄７２の変動中なので、貯留体５７内に保留球としてそのまま視認可能に貯留され、強制入賞機構６４により始動入賞口５５に直ちに供給されることがない（図１０のＳ２参照）。
【００８６】
貯留体５７内に遊技球Ｐが保留球として貯留され、続いて複数の遊技球Ｐが新たに落下すると、その複数の遊技球Ｐは、貯留体５７の上下方向に積層して貯留され、最大数貯留された場合には、最上部に位置する遊技球Ｐの上部が導入口５８から露出するとともに、この遊技球Ｐの湾曲した上部表面に新たに落下してきた遊技球Ｐを衝突させて左右に流し分け、遊技者が通常予想し得ない動的意匠を実現する。
【００８７】
複数の特別図柄７２は回転表示されるが、その際に回転表示の契機となった抽選制御に応じ、可変表示装置４９にリーチ状態に移行する可能性を示す予告が表示されたり、複数の特別図柄７２中、１つ以外の複数の特別図柄７２が同じ図柄で揃い、大当たり状態を示唆するリーチ状態が表示されたりする。
【００８８】
抽選の結果、「６」「６」「６」のように３つの通常図柄７４が揃い、予め定められた通常図柄７４の組み合わせに該当して通常の大当たり状態になると、遊技状態が通常遊技状態から特別遊技状態に移行、換言すれば、大入賞口装置５０の閉じていた受板７８が開いて大入賞口７７を開放し、この開放した大入賞口７７に遊技領域４３を落下してきた遊技球Ｐが短時間のうちに多数入賞し、この遊技球Ｐの入賞数に応じて受皿２７に遊技球Ｐが大当たりの賞球として多数払い出される。
【００８９】
この際、大入賞口装置５０は、例えば、開放時間が３０秒経過するか、あるいは遊技球Ｐが１０個入賞するまで開放動作する。また、大入賞口７７内の継続入賞領域８０に遊技球Ｐが入賞し、この入賞を継続球検知センサ８１が検知すると、大入賞口装置５０の開放動作回数（ラウンドともいう）が予め定められた回数（例えば最高１６回）となるまで更新される。
【００９０】
また、抽選の結果、「７」「７」「７」のように３つの特定図柄７５が揃い、予め定められた特定図柄７５の組み合わせに該当して確率変動付き大当たり状態になると、大入賞口装置５０の開放動作の他、それ以後の通常遊技状態において小当たりや大当たりの確率が向上し、早期に大当たり状態を発生させる確率が高まる。
【００９１】
上記構成によれば、貯留体５７やカバー６１が視認可能な透明に形成されて保留球である遊技球Ｐ自体を遊技者に視覚的に直接把握させるので、例え遊技者が遊技機に関する知識に乏しい主婦等でも、保留球の意味を直接かつ一義的に理解することができ、これを通じて遊技球Ｐや遊技盤４０等の動きを大いに楽しむことができる。
【００９２】
また、遊技者が狼狽したり、不安感等が生じて遊技を終了してしまうおそれがない。また、強制入賞機構６４が貯留体５７から始動入賞口５５に遊技球Ｐを強制的に入賞させるので、保留球の数に応じて抽選を引き続き確実に継続させることができる。また、強制入賞機構６４が遊技球Ｐを強制的に入賞させる度に、保留球の消化状態やタイミング等を視覚的に楽しむことが可能になる。
【００９３】
また、電源回路１１０の遮断時には、シャッタ６８のスライドにより、回収孔６６が開放して始動入賞口５５を拡大し、遊技盤４０や始動入賞口装置４８の遊技球Ｐを確実に回収することができるので、遊技盤４０や始動入賞口装置４８に残存した遊技球Ｐを使用して不正行為等に及ぶおそれを未然に排除することが可能になる。さらに、遊技者が金銭と交換して使用した遊技球Ｐを確実に返却できるようになる。
【００９４】
次に、図１１は本発明の第２の実施の形態を示すもので、この場合には、所定の遊技プログラムの読み込みを条件に、主制御装置９３、払出制御装置１０２、及び可動物制御装置１０３に、遊技球Ｐを保留球検知センサ５９が検出したか否かを検知する機能、保留球検知センサ５９の検出を検知した場合には、複数の特別図柄７２が停止しているか否かを判定する機能、保留球検知センサ５９の検出から一定時間が経過したか否かを判定する機能、保留球検知センサ５９の検出から一定時間が経過したと判定した場合には、強制入賞機構６４を入賞動作させる機能、遊技球Ｐを始動入賞球検知センサ５６が検出したか否かを検知する機能、始動入賞球検知センサ５６の検出を検知した場合には、強制入賞機構６４を停止させる機能、強制入賞機構６４が停止した場合には、特別遊技状態の移行抽選処理を行なう機能、始動入賞球検知センサ５６の検出に応じ、予め設定されている数の遊技球Ｐを賞球として払い出す機能を実現させるようにしている。
【００９５】
上記において、始動入賞口装置４８の貯留体５７内に遊技球Ｐが落下して保留球検知センサ５９が検知（図１１のＳ１）すると、複数の特別図柄７２が停止（図１１のＳ２）し、保留球検知センサ５９の検出から一定時間が経過した場合（図１１のＳ３）には、強制入賞機構６４のモータ６４Ａが駆動してレバー６５を僅かに揺動させ（図１１のＳ４）、このレバー６５のヘッド６５ａが遊技球Ｐを貯留体５７下部の開口６２を介して遊技球Ｐを叩き、この遊技球Ｐが貯留体５７の供給口６２Ｂからガイド板６０上を経由して始動入賞口５５に入賞する。
【００９６】
遊技球Ｐが始動入賞口５５の始動入賞球検知センサ５６に検出（図１１のＳ５）されると、遊技球Ｐを叩いたヘッド６５ａは、モータ６４Ａが駆動して直ちにレバー６５が揺動することにより、元の待機位置に復帰して停止する（図１１のＳ６）。始動入賞球検知センサ５６が検出し、強制入賞機構６４が停止すると、乱数発生手段から乱数値が抽出され、この抽出された乱数値と予め設定された当選用の乱数値とが比較されることにより抽選の当否が判定され、この判定結果に応じ、予め設定されている複数の変動パターンの中からいずれか一つの変動パターン（例えば、枠ランプ２４、盤面ランプ４６、可変表示装置４９、音声制御装置１０１の演出態様等）が決定される（図１１のＳ７）。
【００９７】
こうして変動パターンが決定されると、決定した内容が制御命令として主制御装置９３から図柄制御装置９９や払出制御装置１０２に出力され、その後、始動入賞球検知センサ５６の検出に応じ、予め設定されている数の遊技球Ｐが賞球として払い出される（図１１のＳ８）。その他の部分については、上記実施形態と同様であるので説明を省略する。
【００９８】
本実施形態においても上記実施形態と同様の作用効果が期待でき、しかも、保留球検知センサ５９の検出から一定時間が経過すれば、強制入賞機構６４が入賞動作するので、遊技を確実に継続させることができるのは明らかである。
なお、保留球検知センサ５９の検出から一定時間が経過した場合に、強制入賞機構６４のモータ６４Ａを駆動させるのではなく、複数の特別図柄７２が停止してから一定時間が経過した場合に強制入賞機構６４のモータ６４Ａを駆動させても良い。
【００９９】
次に、図１２ないし図１４は本発明の第３の実施の形態を示すもので、この場合には、所定の遊技プログラムの読み込みを条件に、主制御装置９３、払出制御装置１０２、及び可動物制御装置１０３に、遊技球Ｐを保留球検知センサ５９が検出したか否かを検知する機能、保留球検知センサ５９の検出を検知した場合には、複数の特別図柄７２が停止しているか否かを判定する機能、複数の特別図柄７２が停止していると判定した場合には、受皿２７の操作体１１１が遊技者に押圧操作されたか否かを判定する機能、操作体１１１が遊技者に押圧操作されたと判定した場合には、強制入賞機構６４を入賞動作させる機能、操作体１１１が遊技者に押圧操作されなかったと判定した場合には、保留球検知センサ５９の検出から一定時間が経過したか否かを判定する機能、保留球検知センサ５９の検出から一定時間が経過した場合には、操作体１１１の押圧操作にかかわりなく、強制入賞機構６４を入賞動作させる機能、遊技球Ｐを始動入賞球検知センサ５６が検出したか否かを検知する機能、始動入賞球検知センサ５６の検出を検知した場合には、強制入賞機構６４を停止させる機能、強制入賞機構６４が停止した場合には、特別遊技状態の移行抽選処理を行なう機能、始動入賞球検知センサ５６の検出に応じ、予め設定されている数の遊技球Ｐを賞球として払い出す機能を実現させるようにしている。
【０１００】
操作体１１１は、図１２に示すように、受皿２７の周壁の一部として設けられ、主制御装置９３に入力インターフェイスを介して接続されている（図１３参照）。
【０１０１】
上記において、始動入賞口装置４８の貯留体５７内に遊技球Ｐが落下して保留球検知センサ５９が検知（図１４のＳ１）するとともに、複数の特別図柄７２が停止（図１４のＳ２）し、操作体１１１が押圧操作された場合（図１４のＳ３）には、強制入賞機構６４のモータ６４Ａが駆動してレバー６５を僅かに揺動させ（図１４のＳ５）、このレバー６５のヘッド６５ａが遊技球Ｐを貯留体５７下部の開口６２を介して遊技球Ｐを叩き、この遊技球Ｐが貯留体５７の供給口６２Ｂからガイド板６０上を経由して始動入賞口５５に入賞する。
【０１０２】
また、複数の特別図柄７２が停止（図１４のＳ２）し、操作体１１１が押圧操作されずに保留球検知センサ５９の検出から一定時間が経過した場合（図１４のＳ４）には、強制入賞機構６４が入賞動作（図１４のＳ５）し、遊技球Ｐが貯留体５７の供給口６２Ｂからガイド板６０上を経由して始動入賞口５５に入賞する。
【０１０３】
遊技球Ｐが始動入賞口５５の始動入賞球検知センサ５６に検出（図１４のＳ６）されると、遊技球Ｐを叩いたヘッド６５ａは、モータ６４Ａが駆動して直ちにレバー６５が揺動することにより、元の待機位置に復帰して停止する（図１４のＳ７）。こうして強制入賞機構６４が停止すると、始動入賞球検知センサ５６の検出に基づき、乱数発生手段から乱数値が抽出され、この抽出された乱数値と予め設定された当選用の乱数値とが比較されることにより抽選の当否が判定され、この判定結果に応じ、予め設定されている複数の変動パターンの中からいずれか一つの変動パターン（例えば、枠ランプ２４、盤面ランプ４６、可変表示装置４９、音声制御装置１０１の演出態様等）が決定される（図１４のＳ８）。
【０１０４】
こうして変動パターンが決定されると、決定した内容が制御命令として図柄制御装置９９や払出制御装置１０２に出力され、その後、始動入賞球検知センサ５６の検出に応じ、予め設定されている数の遊技球Ｐが賞球として払い出される（図１４のＳ９）。その他の部分については、上記実施形態と同様であるので説明を省略する。
【０１０５】
本実施形態においても上記実施形態と同様の作用効果が期待でき、しかも、遊技者が操作体１１１を操作することにより、強制入賞機構６４の動作タイミングを自ら制御することができるので、遊技機に対する遊技者の攻略心や遊技の多彩化等を満足させることができるのは明らかである。また、操作体１１１が押圧操作されない場合でも、保留球検知センサ５９の検出から一定時間が経過すれば、強制入賞機構６４が入賞動作するので、遊技者が遊技機や操作体１１１に関する知識に乏しい者でも遊技を継続して楽しむことができる。
なお、複数の特別図柄７２が停止してから一定時間が経過した場合に、強制入賞機構６４を入賞動作させても良い。
【０１０６】
次に、図１５、図１６は本発明の第４の実施の形態を示すもので、この場合には、所定の遊技プログラムの読み込みを条件に、主制御装置９３、払出制御装置１０２、及び可動物制御装置１０３に、遊技球Ｐを保留球検知センサ５９が検出したか否かを検知する機能、保留球検知センサ５９の検出を検知した場合には、複数の特別図柄７２が停止しているか否かを判定する機能、複数の特別図柄７２が停止していると判定した場合には、特定の遊技球検知装置である入賞口装置４７Ａに遊技球Ｐが入賞したか否かを判定する機能、入賞口装置４７Ａに遊技球Ｐが入賞したと判定した場合には、強制入賞機構６４を入賞動作させる機能、入賞口装置４７Ａに遊技球Ｐが入賞しなかったと判定した場合には、保留球検知センサ５９の検出から一定時間が経過したか否かを判定する機能、保留球検知センサ５９の検出から一定時間が経過した場合には、入賞口装置４７Ａへの遊技球Ｐの入賞にかかわりなく、強制入賞機構６４を入賞動作させる機能、遊技球Ｐを始動入賞球検知センサ５６が検出したか否かを検知する機能、始動入賞球検知センサ５６の検出を検知した場合には、強制入賞機構６４を停止させる機能、強制入賞機構６４が停止した場合には、特別遊技状態の移行抽選処理を行なう機能、始動入賞球検知センサ５６の検出に応じ、予め設定されている数の遊技球Ｐを賞球として払い出す機能を実現させるようにしている。
【０１０７】
上記において、始動入賞口装置４８の貯留体５７内に遊技球Ｐが落下して保留球検知センサ５９が検知（図１６のＳ１）するとともに、複数の特別図柄７２が停止（図１６のＳ２）し、入賞口装置４７Ａに遊技球Ｐが入賞した場合（図１６のＳ３）には、強制入賞機構６４のモータ６４Ａが駆動してレバー６５を僅かに揺動させ（図１６のＳ５）、このレバー６５のヘッド６５ａが遊技球Ｐを貯留体５７下部の開口６２を介して遊技球Ｐを叩き、この遊技球Ｐが貯留体５７の供給口６２Ｂからガイド板６０上を経由して始動入賞口５５に入賞する。
【０１０８】
また、入賞口装置４７Ａに遊技球Ｐが入賞せず、保留球検知センサ５９の検出から一定時間が経過した場合（図１６のＳ４）には、強制入賞機構６４が入賞動作（図１６のＳ５）し、遊技球Ｐが貯留体５７の供給口６２Ｂからガイド板６０上を経由して始動入賞口５５に入賞する。
【０１０９】
遊技球Ｐが始動入賞口５５の始動入賞球検知センサ５６に検出（図１６のＳ６）されると、遊技球Ｐを叩いたヘッド６５ａは、モータ６４Ａが駆動して直ちにレバー６５が揺動することにより、元の待機位置に復帰して停止する（図１６のＳ７）。こうして強制入賞機構６４が停止すると、始動入賞球検知センサ５６の検出に基づき、乱数発生手段から乱数値が抽出され、この抽出された乱数値と予め設定された当選用の乱数値とが比較されることにより抽選の当否が判定され、この判定結果に応じ、予め設定されている複数の変動パターンの中からいずれか一つの変動パターン（例えば、枠ランプ２４、盤面ランプ４６、可変表示装置４９、音声制御装置１０１の演出態様等）が決定される（図１６のＳ８）。
【０１１０】
こうして変動パターンが決定されると、決定した内容が制御命令として図柄制御装置９９や払出制御装置１０２に出力され、その後、始動入賞球検知センサ５６の検出に応じ、予め設定されている数の遊技球Ｐが賞球として払い出される（図１６のＳ９）。その他の部分については、上記実施形態と同様であるので説明を省略する。
本実施形態においても、上記実施形態と同様の作用効果が期待できる。
【０１１１】
なお、上記実施形態の賞球と玉貸しの球経路は、分離せずに区別不能な構造としても良いし、分離して区別可能な構造としても良い。また、本体１０の背面壁に、払出装置１６からの遊技球Ｐを振り分ける振分け装置を設置しても良い。また、受皿パネル２３に複数の受皿２７を上下に並べて配設しても良い。また、一時停止ボタン３３を、操作ハンドル３２ではなく、受皿パネル２３の操作ハンドル３２近傍部に設けても良い。
【０１１２】
また、釘４４、風車４５、盤面ランプ４６、入賞口装置４７、始動入賞口装置４８の数は、適宜増減変更することができる。また、強制入賞機構６４のレバー６５は、ハンマー、ゴルフクラブ、ホッケーのスティック、ゲートボールのシャフト、ブーツ等を模して形成することができる。また、シャッタ６８を揺動爪７１の上下動により上下方向にスライドさせることもできる。
【０１１３】
また、特別図柄７２を用いた抽選の際、可変表示装置４９に、左、中、右の特別図柄７２をそれぞれ上、中、下というように合計９つ表示することもできる。また、装飾枠体の下部に、遊技球Ｐを始動入賞口装置４８の真上付近に導くステージを設けることも可能である。
【０１１４】
また、装飾枠体に、遊技球Ｐを道釘を経ることなく、始動入賞口装置４８の上方付近に導く経路（ワープゾーンともいう）を設けることも可能である。また、主制御装置９３と副制御装置９４のＣＰＵ、ＲＯＭ、ＲＡＭをそれぞれ一体化してワンチップにすることも可能である。また、主制御装置９３と副制御装置９４のＣＰＵは、単数複数に適宜増減することも可能である。
【０１１５】
また、主制御装置９３と副制御装置９４の各基板に電源回路１１０をそれぞれ接続しても良い。また、主制御装置９３のＲＡＭ９８に遊技の履歴や遊技利益等を記憶させるのではなく、ハードディスク等の公知の記憶装置に記憶させても良い。さらに、主制御装置９３で賞球の払出個数を監視しても良い。さらにまた、大当たり状態の確定時に３つの特別図柄７２を再度回転表示させ、再抽選して遊技者の期待度を高めても良い。
【図面の簡単な説明】
【０１１６】
【図１】本発明に係る遊技機の実施形態を示す全体斜視説明図である。
【図２】本発明に係る遊技機の実施形態における受皿パネルを取り外した状態を示す正面説明図である。
【図３】本発明に係る遊技機の実施形態におけるドアの開放状態を模式的に示す斜視説明図である。
【図４】本発明に係る遊技機の実施形態における始動入賞口装置を模式的に示す正面説明図である。
【図５】図４の始動入賞口装置に遊技球が新たに貯留される状態を模式的に示す正面説明図である。
【図６】図５の始動入賞口装置に最大数の遊技球が貯留された状態を模式的に示す正面説明図である。
【図７】本発明に係る遊技機の実施形態における回収孔やシャッタ等を模式的に示す説明図である。
【図８】本発明に係る遊技機の実施形態回収孔やシャッタ等を模式的に示す断面説明図である。
【図９】本発明に係る遊技機の実施形態を示す回路構成図である。
【図１０】本発明に係る遊技機の実施形態を示すフローチャートである。
【図１１】本発明に係る遊技機の第２の実施形態を示すフローチャートである。
【図１２】本発明に係る遊技機の第３の実施形態を示す全体斜視説明図である。
【図１３】本発明に係る遊技機の第３の実施形態を示す回路構成図である。
【図１４】本発明に係る遊技機の第３の実施形態を示すフローチャートである。
【図１５】本発明に係る遊技機の第４の実施形態における受皿パネルを取り外した状態を示す正面説明図である。
【図１６】本発明に係る遊技機の第４の実施形態を示すフローチャートである。
【符号の説明】
【０１１７】
１            ＣＲユニット
１０          筐体
１３          ドア
４０          遊技盤
４７          入賞口装置
４７Ａ        入賞口装置（特定の遊技球検知装置）
４８          始動入賞口装置
５０          大入賞口装置
５１          アウト穴
５５          始動入賞口
５６          始動入賞球検知センサ
５７          貯留体
５８          導入口
５９          保留球検知センサ（センサ）
６０          ガイド板（底部）
６１          カバー
６２          開口
６２Ａ        開口
６２Ｂ        通過口
６３          ガイド片
６４          強制入賞機構
６４Ａ        モータ
６５          レバー
６５ａ        ヘッド
６６          回収孔
６７          下部周縁
６８          シャッタ
７０          復帰ばね
７２          特別図柄（識別情報）
７４          通常図柄（識別情報）
７５          特定図柄（識別情報）
７３          可変表示装置
９０          制御装置
９３          主制御装置
９４          副制御装置
１０２        払出制御装置
１０３        可動物制御装置
１１０        電源回路
１１１        操作体（特定の操作体）
Ｐ            遊技球
【図１】
2006217979.tif 000003
【図２】
2006217979.tif 000004
【図３】
2006217979.tif 000005
【図４】
2006217979.tif 000006
【図５】
2006217979.tif 000007
【図６】
2006217979.tif 000008
【図７】
2006217979.tif 000009
【図８】
2006217979.tif 000010
【図９】
2006217979.tif 000011
【図１０】
2006217979.tif 000012
【図１１】
2006217979.tif 000013
【図１２】
2006217979.tif 000014
【図１３】
2006217979.tif 000015
【図１４】
2006217979.tif 000016
【図１５】
2006217979.tif 000017
【図１６】
2006217979.tif 000018